(57)【要約】  コンクリートなしで構造ダイアフラムを完成させるための金属デッキを提供する。一実施形態では、連続した金属シートで形成される複数のデッキ構成要素を含む、金属デッキが提供される。デッキ構成要素の各々は、金属デッキの長さに沿って形成される複数の折り畳まれたリブを含む。複数の折り畳まれたリブの各々は、建物の１つ以上のトラスが複数の折り畳まれたリブ間に嵌合するように構成される。金属デッキは、コンクリートなしで構造ダイアフラムを完成させるのに用いることができる。【選択図】図１５
2021509700.tif 000002
【特許請求の範囲】
【請求項１】
金属デッキであって、
連続した金属シートで形成される複数のデッキ構成要素であって、前記デッキ構成要素の１つ以上は前記金属デッキの幅に沿って形成され、隆起部分とリブ状部分とを含んでおり、前記隆起部分は前記金属デッキとトラス構造の間に遮音性を提供するように構成され、前記リブ状部分は前記金属デッキの底面から延在するリブ溝を含んでおり、前記リブ状部分は、前記リブ溝の第１側面に隣接して位置する第１隆起リブと、前記リブ溝の第２側面に隣接して位置する第２隆起リブとをさらに含んでおり、前記第１隆起リブ及び第２隆起リブは前記リブ溝と略平行であり、前記リブ状部分は、前記金属デッキの長さに沿って延在する前記リブ溝と、前記第１隆起リブと、前記第２隆起リブとを含んでいる、前記複数のデッキ構成要素からなる金属デッキ。
【請求項２】
前記複数のデッキ構成要素の前記リブ溝の各々は前記金属デッキの前記底面に垂直に形成される側面を含む、請求項１に記載の金属デッキ。
【請求項３】
前記リブ溝の各々は鳩尾状リブである、請求項１に記載の金属デッキ。
【請求項４】
前記リブ状部分は、前記第１隆起リブに隣接して位置する第１リブ樋と、前記第２隆起リブに隣接して位置する第２リブ樋とをさらに含んでおり、前記第１リブ樋及び前記第２リブ樋は前記リブ溝に略平行である、請求項１に記載の金属デッキ。
【請求項５】
前記隆起部分は前記隆起部分の長さに沿って配置される複数の突起をさらに含んでおり、前記複数の突起は前記隆起部分の牽引制御を提供する、請求項１に記載の金属デッキ。
【請求項６】
前記連続した金属シートの厚さは１２〜１８ゲージ（１．２７〜２．７９４ｍｍ）である、請求項１に記載の金属デッキ。
【請求項７】
前記リブ溝の各々は、前記金属デッキを前記トラス構造上に固定的に配置することができるように前記トラス構造の一部を受け入れるための１つ以上のリブ開口をさらに含む、請求項１に記載の金属デッキ。
【請求項８】
前記金属デッキの長さに延在する第１縁部であって、隆起フランジを含む前記第１縁部と、
前記金属デッキの長さに延在する第２縁部であって、前記第１縁部は平坦フランジを含んでおり、前記第１縁部及び前記第２縁部は重なり合う構成の１つ以上の追加の金属デッキに前記金属デッキを配置するためのものである、前記第２縁部と、
をさらに含む、請求項１に記載の金属デッキ。
【請求項９】
１つ以上の切り欠きが前記金属デッキの１つ以上の縁部に配置されており、前記１つ以上の切り欠きは建物の１つ以上の構造支柱を受け入れるように構成される、請求項１に記載の金属デッキ。
【請求項１０】
前記隆起部分は２つのリブ樋間に位置し、前記２つのリブ樋は前記隆起部分の支持を行う、請求項１に記載の金属デッキ。
【請求項１１】
構造システムであって、
互いに平行に配置された２つ以上のトラスと、
前記２つ以上のトラス上に配置され、連続した金属シートで形成される複数のデッキ構成要素を含む金属デッキであって、
前記デッキ構成要素の１つ以上は前記金属デッキの幅に沿って形成され、隆起部分とリブ状部分とを含んでおり、前記隆起部分は前記金属デッキと前記２つ以上のトラスとの間に遮音性を提供するように構成され、前記リブ状部分は前記金属デッキの底面から延在するリブ溝を含んでおり、前記リブ状部分は、前記リブ溝の第１側面に隣接して位置する第１隆起リブと、前記リブ溝の第２側面に隣接して位置する第２隆起リブとをさらに含んでおり、前記第１隆起リブ及び前記第２隆起リブは前記リブ溝と略平行であり、前記リブ状部分は、前記金属デッキの長さに沿って延在する前記リブ溝と、前記第１隆起リブと、前記第２隆起リブとを含んでいる、前記金属デッキと、からなる、構造システム。
【請求項１２】
前記リブ溝の各々は少なくとも２つのリブ開口を含んでおり、前記少なくとも２つのリブ開口の各々は、前記金属デッキが前記２つ以上のトラス上に固定的に配置されるように前記２つ以上のトラスを受け入れるように構成される、請求項１１に記載の構造システム。
【請求項１３】
前記複数のデッキ構成要素の前記リブ溝の各々は前記金属デッキの前記底面に垂直に形成される側面を含む、請求項１１に記載の構造システム。
【請求項１４】
前記複数のデッキ構成要素の前記リブ溝の各々は鳩尾状リブである、請求項１１に記載の構造システム。
【請求項１５】
前記リブ状部分は、前記第１隆起リブに隣接して位置する第１リブ樋と、前記第２隆起リブに隣接して位置する第２リブ樋とをさらに含んでおり、前記第１リブ樋及び前記第２リブ樋は前記リブ溝に略平行である、請求項１１に記載の構造システム。
【請求項１６】
前記隆起部分は前記隆起部分の長さに沿って配置される複数の突起をさらに含んでおり、前記複数の突起は前記隆起部分の牽引制御を提供する、請求項１１に記載の構造システム。
【請求項１７】
前記金属デッキは、
前記金属デッキの長さに延在する第１縁部であって、隆起フランジを含む前記第１縁部と、
前記金属デッキの長さに延在する第２縁部であって、前記第１縁部は平坦フランジを含んでおり、前記第１縁部及び前記第２縁部は重なり合う構成の１つ以上の追加の金属デッキに前記金属デッキを配置するためのものである、前記第２縁部と、をさらに含む、請求項１１に記載の構造システム。
【請求項１８】
前記金属デッキは前記金属デッキの１つ以上の縁部に配置された１つ以上の切り欠きを含んでおり、前記１つ以上の切り欠きは建物の１つ以上の構造支柱を受け入れるように構成される、請求項１１に記載の構造システム。
【請求項１９】
前記リブ溝の各々は前記２つ以上のトラスに略垂直に配置される、請求項１１に記載の構造システム。
【請求項２０】
前記隆起部分は２つのリブ樋間に位置し、前記２つのリブ樋は前記隆起部分の支持を行う、請求項１１に記載の構造システム。
【発明の詳細な説明】
【技術分野】
【０００１】
（関連出願の相互参照）
本出願は、「金属デッキ材」と題する２０１８年１月２日出願の米国非仮特許出願の一部継続出願第１５／８６０，０７３号の優先権を主張するとともに、２０１５年７月２２日出願の「金属デッキ材」と題する米国仮特許出願第６２／１９５，６７７号の優先権及び利益を主張する、２０１６年７月２２日出願の「金属デッキ材」と題する米国非仮特許出願第１５／２１７，５８９号の優先権及び利益を主張するものであり、それらの全てが開示又は教示する全てのものを参照することにより本明細書に援用される。
【背景技術】
【０００２】
複合デッキ材は、１階建て又は多数階の建物用の床及び／又は天井として使用することができる。複合デッキ材は、建物の構造ダイアフラムを完成させるのに用いられる。複合デッキ材は、その上に形成されたコンクリートを有する連続した金属シートを含む。複合デッキ材は、コンクリートに剛性を与えるためにメッシュ構造を含んでもよい。
【発明の概要】
【課題を解決するための手段】
【０００３】
一実施形態において、金属デッキが提供され、金属デッキは、金属デッキの幅に沿って形成され、隆起部分とリブ状部分とを含む複数のデッキ構成要素であって、隆起部分は金属デッキとトラス構造の間に遮音性を提供するように構成され、リブ状部分は金属デッキの底面から延在するリブ溝を含んでおり、リブ状部分は、リブ溝の第１側面に隣接して位置する第１隆起リブと、リブ溝の第２側面に隣接して位置する第２隆起リブとをさらに含んでおり、第１隆起リブ及び第２隆起リブはリブ溝と略平行であり、リブ状部分は、金属デッキの長さに沿って延在するリブ溝と、第１隆起リブと、第２隆起リブとを含んでいる、複数のデッキ構成要素からなる。
【図面の簡単な説明】
【０００４】
本技術の本質及び利点のさらなる理解は、本明細書の残りの部分において説明される図を参照することで実現することができる。図において、同様の参照符号は複数の図を通して類似構成要素を参照するために用いられる。場合によっては、参照符号は、複数の類似構成要素のうちの１つを示すために小文字からなる関連するサブラベルを有する場合がある。サブラベルの明記のない参照符号を参照する場合、その参照はそのような複数の類似構成要素全てを参照することを目的とする。
【０００５】
【図１】図１は、本明細書において開示される例示的な金属デッキの立体図を示す。
【図２Ａ】図２Ａは例示的な金属デッキの側面図を示す。
【図２Ｂ】図２Ｂは例示的な金属デッキの上面図を示す。
【図３】図３は、例示的な金属デッキの断面図を示す。
【図４】図４は、トラス構造上の本明細書において開示される例示的な金属デッキの立体図を示す。
【図５】図５は、トラス構造上の本明細書において開示される例示的な金属デッキの代替的な立体図を示す。
【図６】図６は、例示的な金属デッキの代替的な上面図を示す。
【図７】図７は、本明細書において開示される例示的な金属デッキの立体図を示す。
【図８Ａ】図８Ａは、本明細書において開示される例示的な金属デッキの例示的な側面図を示す。
【図８Ｂ】図８Ｂは、本明細書において開示される例示的な金属デッキの例示的な側面図を示す。
【図８Ｃ】図８Ｃは、本明細書において開示される例示的な金属デッキの例示的な側面図を示す。
【図９】図９は、建物の金属デッキを製造及び設置するための例示的な工程図を示す。
【図１０】図１０は、本明細書において開示される金属デッキの例示的な上面図を示す。
【図１１】図１１は、本明細書において開示される金属デッキの部分の例示的な上面図を示す。
【図１２】図１２は、本明細書において開示される例示的な金属デッキの代替図を開示する。
【図１３】図１３は、本明細書において開示される例示的な金属デッキのさらに別の代替図を示す。
【図１４】図１４は、本明細書において開示される例示的な金属デッキの側面図を示す。
【図１５】図１５は、本明細書において開示される金属デッキの別の代替図を示す。
【図１６】図１６は、本明細書において開示される別の例示的な金属デッキの別の図を示す。
【図１７】図１７は、本明細書において開示される例示的な金属デッキの上面図を示す。
【図１８】図１８は、本明細書において開示される例示的な金属デッキの側断面図を示す。
【図１９】図１９は、トラス構造上に位置する本明細書において開示される例示的な金属デッキの側断面図を示す。
【図２０】図２０は、トラス構造上に位置する本明細書において開示される例示的な金属デッキの別の図を示す。
【図２１】図２１は、本明細書において開示される例示的な金属デッキの図を示す。
【図２２】図２２は、本明細書において開示される例示的な金属デッキの側面図を示す。
【発明を実施するための形態】
【０００６】
１階建て又は多数階の建物を建設する際、複合デッキ材を床及び／又は天井用に使用することができる。コンクリートを伴う複合デッキ材は、建物の構造ダイアフラムを完成させるのに用いられる。建物の構造ダイアフラムは、垂直及び水平の構造成分を連結し、それらに共に横方向及び縦方向の力の伝達を実行させる。複合デッキ材を設置するために、金属の連続したリブ状シートが取り付けられた後、金属デッキの上面にコンクリートを注入して複合デッキを形成する。一部の実施形態では、コンクリートに剛性を与えるためにコンクリートを注入する前にメッシュが配置される。様々な実施形態において、複合デッキ材の金属シートはその上にコンクリートを形成するための機構として用いられる。金属シートを構造要素（例えば、Ｉ形梁）に接続し、メッシュを設置し、コンクリートを注入し、コンクリートを硬化させる工程は、時間と費用がかかる。
【０００７】
本明細書において記載される実施形態では、金属デッキが提供される。本明細書において記載される金属デッキは、コンクリートなしで金属デッキを建物の床及び／又は天井として利用することができるような強度特性を有するリブ状構造を用いる。そのため、本明細書において記載される金属デッキは、コンクリートを注入する費用と時間のかかる工程なしで建物の構造ダイアフラムを完成させるための強度特性を提供する。金属デッキのパネルの寸法及び形状は、規格化することができる。金属デッキの規格化により、冷間ロール成形機を用いた金属デッキの製造が可能になる。本明細書において開示される実施形態では、長さ、深さ、角度等が規格化される。そのような規格化により、金属デッキの技術者による設計や分析の繰り返しの必要性が減少する。さらにまた、規格化は金属デッキを製造する費用も削減する。これらの規格化された金属デッキは、壁パネル、トラス等の他の規格化された建築部材と共に利用することができる。
【０００８】
様々な実施形態において、騒音抑制のために本明細書において記載される金属デッキ上にコンクリートの層を注入してもよい。これらの実施形態では、コンクリートを注入する前に金属デッキ上に騒音マットを設置してもよい。
【０００９】
図１は、本明細書において開示される例示的な金属デッキ１００の立体図を示す。具体的には、金属デッキ１００は複数のデッキ構成要素１０２ａ，１０２ｂ，・・・１０２ｎを含む。金属デッキ１００は、デッキ構成要素を有する１つの連続した製品として形成してもよい。
【００１０】
様々な金属デッキ構成要素が互いに結合される。例えば、金属デッキ１００はロール成形機を用いて金属シートから形成することができる。例示的なロール成形機は、ロール成形して金属デッキを作ることができるように鋼製ロールを所定の距離及び所定の角度で切断するための命令付きのマクロファイルを受信するように構成することができる。さらにまた、そのようなロール成形機は、さらに締結具用のパイロット穴や他の開口の配置、穿孔、エッチング又は切断に関するマクロファイルからの命令を受信するように構成される。金属デッキ１００を形成するのに用いられるシートの厚さは、例えば、ステンレス鋼板で１２〜１８ゲージ（０．０５０〜０．１１インチ（１．２７〜２．７９４ｍｍ））であってよい。しかしながら、別の厚さの金属シートも使用することができる。同様に、亜鉛めっき鋼、アルミニウム等の建築構造で用いられる代替物質も使用することができる。
【００１１】
デッキ構成要素の各々は、その長さ１２０に沿ったリブ１０４を有するように構成することができる。リブ１０４は折り畳まれた外形を有し、リブはデッキ構成要素の下向き面から対向する。換言すれば、デッキ構成要素を用いて金属デッキを形成する際、折り畳まれたリブ１０４は地面に面しており、リブ１０４に向かい合うデッキ構成要素の反対側の略平面は地面から向きがそれている。
【００１２】
さらにまた、デッキ構成要素は、リブ１０４が長さ１２０に沿った所定の間隔でリブ開口１０６ａ，１０６ｂ，１０６ｃ等を含むように形成される。そのようなリブ１０４のリブ開口は、金属デッキ１００の幅１３０全体に含まれる。換言すれば、リブ１０４はデッキ構成要素１０２の全長１２０に沿って連続していない。なお、リブ開口１０６ｃはデッキ構成要素の一端にあるように図示されている。同様のリブ開口１０６は、デッキ構成要素の他端に設けられてもよい。リブ開口１０６は、金属デッキ１００を支持するトラス構造を受け入れるように構成される。
【００１３】
一実施形態において、リブ開口１０６間のリブ１０４は長さが２１．８０インチ（５５３．７２ｍｍ）のリブ溝である。なお、他の実施形態では、その他の長さのリブ溝を設けてもよい。一実施形態では、リブ溝間のリブ開口１０６の各々は２．２０インチ（５５．８８ｍｍ）であってよい。その結果、リブ開口１０６の各々の入口間の距離は２４インチ（６０９．６ｍｍ）である。リブ溝及びリブ開口１０６の長さの寸法は、建築方式の他の構成要素の寸法に基づいて選択することができる。例えば、互いに２１．８０インチ（５５３．７２ｍｍ）離れているトラスと共に金属デッキ１００を使用する場合、リブ溝長さは２１．８０インチ（５５３．７２ｍｍ）であるように選択される。さらにまた、トラスの幅が２．２０インチ（５５．８８ｍｍ）である場合、２．２０インチ（５５．８８ｍｍ）のリブ開口が設けられる。これにより、一連のトラス上に金属デッキ１００を取り付けることが可能になる。
【００１４】
図２Ａは金属デッキ２００の側面図を示し、図２Ｂは金属デッキ２００の上面図を示す。図２Ａを参照すると、金属デッキ２００は多数の所定のリブ開口２０６ａ〜２０６ｅを備えたリブ２０４を含む。リブ開口２０６の各々は、金属デッキ２００を支持するトラスを受け入れるように構成される。リブ開口２０６の側面は、トラスを受け入れるためのガイドの働きをするような角度である。例えば、構造内にトラスを設置した後、リブ開口２０６の傾斜角度によってトラスがリブ開口２０６に案内されながら、金属デッキ２００のシートをトラス上に配置することができる。そのため、金属デッキ２００を配置する人はトラス上に無理に正確に適合させる必要がない。
【００１５】
次に図２Ｂを参照すると、金属デッキ２００は多数のデッキ構成要素２０２ａ〜２０２ｅを含む。デッキ構成要素は、金属の１つの連続片から形成してもよい。リブ２０４は、所定のリブ開口２０６を備えて、金属デッキ２００の下（例えば、ｚ方向）に延在する。種々のリブのリブ開口２０６は、多数の平行したリブ開口がトラスを受け入れることができるように整列配置される。例えば、ライン２０８に沿ったリブ開口２０６はトラスを受け入れることができる。
【００１６】
図３は、例示的な金属デッキ３００の断面図を示す。金属デッキ３００は、リブ３０２ａ及び３０２ｂ（例えば、リブ溝）と上部リブ３０６ａ及び３０６ｂを含む。リブ３０２ａの拡大図３０４において図示したように、リブ３０２ａは折り畳まれた外形を有する。リブ３０２ａの高さ３１０は、例えば、約１．２５インチ（３１．７５０１ｍｍ）であってよい。側面３１２及び３１４は、金属デッキ３００の表面に対して垂直に示されている。一実施形態では、リブ３０２ａの上端部が閉じるようにつままれて、側面３１２及び３１４の上端部が互いに接触するようになっていて、例えば金属デッキ３００の上面を略平面とすることができる。さらにまた、図示の実施形態では、側面３１２及び３１４の各々の上端部は湾曲している。リブは、デッキ３００をさらに支持し、デッキ３００に剛性構造を与える。
【００１７】
上部リブ（例えば、上部リブ３０６ａ）は、金属デッキ３００に把持力又は牽引力を与える。例えば、金属デッキ３００の上部は作業面となる場合があり、上部リブは人がスリップせずに歩き回ることができるように牽引力を与えることができる。上部リブは、種々のパターンで配設することができる。金属デッキ３００は、隆起タブ３０８をさらに含む。隆起タブ３０８は、別の金属デッキの平坦部分を受け入れるように構成される。
【００１８】
図４は、トラス構造４０４上の本明細書において開示される例示的な金属デッキ４０２の立体図４００を示す。具体的には、金属デッキ４０２はリブ開口（例えば、リブ開口４０８）を有する複数のリブ４１０ａ，４１０ｂ等を含む。金属デッキ４０２は、複数のトラス４０６ａ，４０６ｂ等を含むトラス構造４０４上に置かれて図示されている。リブ開口はトラスにぴったり合うように寸法決めされ、リブはトラス４０６間に嵌合する。
【００１９】
図５は、トラス構造５０４上の本明細書において開示される例示的な金属デッキ５０２の代替的な立体図５００を示す。具体的には、金属デッキ５０２は、トラス５０８ａ，５０８ｂ等の上に置かれる複数のデッキ構成要素５０６ａ，５０６ｂ等を含む。金属デッキ５０２は、図示よりも多い又は少ない数のデッキ構成要素を含んでもよいことを理解されたい。トラス構造５０４は、図示よりも多い又は少ない数のトラスを含んでもよいことも理解されたい。そのため、金属デッキのリブ（図示せず）は、トラス５０８の数に合う多数のリブ開口（図示せず）を含んでもよい。
【００２０】
図６は、例示的な金属デッキ６００の代替的な上面図を示す。金属デッキ６００は、複数のデッキ構成要素６０２ａ，６０２ｂ等を含む。金属デッキ６００の上面６０６は、複数の上部リブ６０４ａ，６０４ｂ等を含む。一部の上部リブ６０４、例えば上部リブ６０４ｅは、金属デッキ６００の長さ６１０に沿って延在する。その他の上部リブ、例えば６０４ａ，６０４ｂ，６０４ｃは、対角パターンで配置される。上部リブは、その他のパターンで配置してもよいことを理解されたい。例えば、上部リブ６０４ｄは上部リブ６０４ｅに対して垂直に配置してもよい。上部リブ６０４は、上面６０６に牽引力を与える。そのため、上面６０６は作業面となり得る。
【００２１】
図７は、本明細書において開示される例示的な金属デッキ７００の立体図を示す。具体的には、金属デッキ７００は複数のデッキ構成要素７０２ａ，７０２ｂ・・・７０２ｎ（以下、デッキ構成要素と呼ぶ）を含む。金属デッキ７００は、互いに結合されたデッキ構成要素を有する１つの連続した製品として形成してもよい。例えば、金属デッキ７００はロール成形機を用いて金属シートから形成することができる。金属デッキ７００を形成するのに用いられるシートの厚さは、例えば、ステンレス鋼板で１６〜１８ゲージ（０．０６２５〜０．０５００インチ（１．５８７５〜１．２７ｍｍ））であってよい。しかしながら、別の厚さの金属シートも使用することができる。同様に、亜鉛めっき鋼、アルミニウム等の建築構造で用いられる代替物質も使用することができる。例えば、デッキ構成要素７０２を作るのに標準鋼板が用いられる場合、デッキの厚さは、例えば、０．００５９８〜０．０４７８インチ（０．１５１９〜１．２１４１ｍｍ）の厚さに等しい、１６〜１８ゲージの標準鋼であってよい。一方、デッキ構成要素７０２を作るのに亜鉛めっき鋼板が用いられる場合、デッキの厚さは、例えば、０．０６３５〜０．０５１６インチ（１．６１２９〜１．３１０６ｍｍ）の厚さに等しい、１６〜１８ゲージの亜鉛めっき鋼であってよい。
【００２２】
デッキ構成要素７０２の各々は、その長さ７２０に沿ったリブ７０４を有するように構成することができる。リブ７０４は鳩尾の形状に形成され、リブ７０４はデッキ構成要素７０２の下向き面に面する。換言すれば、デッキ構成要素７０２を用いて金属デッキを形成する際、鳩尾状のリブ７０４は地面に面しており、リブ７０４に向かい合うデッキ構成要素７０２の反対側の平面は地面から向きがそれている。
【００２３】
さらにまた、デッキ構成要素７０２はリブ７０４が長さ７２０に沿った所定の間隔で切断されるように形成される。リブ７０４のそのような切断は、金属デッキ７００の幅７３０全体にわたっている。換言すれば、リブ７０４はデッキ構成要素７０２の全長７２０に沿って連続していない。具体的には、図７に示すように、デッキ構成要素７０２の各々はリブ開口７０６ａ，７０６ｂ，７０６ｃ（以下、リブ開口７０６と呼ぶ）を有する。なお、リブ開口７０６ｃはデッキ構成要素７０２の一端にあるように図示されている。同様のリブ開口は、デッキ構成要素７０２の他端に設けられてもよい。
【００２４】
一実施形態において、リブ７０４は長さが２１．８０インチ（５５３．７２１１ｍｍ）であるリブ溝を形成するためにその長さ７２０に沿って切断される。なお、別の実施形態では、その他の長さのリブ溝を設けてもよい。一実施形態では、リブ溝間のリブ開口７０６の各々は２．２０インチ（５５．８８０１ｍｍ）であってよい。その結果、リブ開口７０６の各々の入口間の距離は２４インチ（６０９．６０１２ｍｍ）である。リブ溝及びリブ開口７０６の長さの寸法は、建築方式の他の構成要素の寸法に基づいて選択することができる。例えば、互いに２１．８０インチ（５５３．７２１１ｍｍ）離れているトラスと共に金属デッキ７００を使用する場合、リブ溝長さは２１．８０インチ（５５３．７２１１ｍｍ）であるように選択される。さらにまた、トラスの幅が２．２０インチ（５５．８８０１ｍｍ）である場合、２．２０インチ（５５．８８０１ｍｍ）のリブ開口７０６が設けられる。これにより、一連のトラス上に金属デッキ７００を取り付けることが可能になる。
【００２５】
図８Ａ〜８Ｃは、本明細書において開示される部分的な金属デッキの例示的な側面図を示す。具体的には、図８Ａは、ｚ方向に沿って延在する複数の鳩尾状リブ８０２を示す金属デッキ８００の側面図を示す。一実施形態において、金属デッキ８００はその表面上に上部リブ８０４をさらに含んでいて、上部リブ８０４がリブ８０２の反対側の方向に上向きにくぼませられるようになっている。リブ８０２及び上部リブ８０４は、金属デッキシステムに支えすなわち強度を与える。さらにまた、上部リブ８０４はデッキの上面に牽引力を与える。なお、金属デッキ８００がリブなしで設けられた場合、小さな負荷でたわむ可能性があるので、リブなしの金属デッキ８００は作業面として十分な支持は行えない。
【００２６】
図８Ｂは、２つの側面８１２及び８１４と底面８１６を有するリブ８１０の拡大図を示す。側面８１２及び８１４は、金属デッキ８００の表面に対して角度８０８ａ及び８０８ｂを有するように示されている。なお、本実施形態では、これらの角度８０８ａ及び８０８ｂは互いにほぼ同様であり、リブ８１０をｘ軸に関して対称形状にする。しかしながら、別の実施形態では、角度８０８ａ及び８０８ｂは、１つ以上の負荷分散要件に基づいて互いに異なっていてもよい。一実施形態では、リブ８１０の上端部は、側面８１２及び８１４の上端部が互いに接触するように近づけてつまんでもよい。さらにまた、図示の実施形態では、側面８１２及び８１４の各々の上端部は湾曲している。
【００２７】
図８Ｃは、上部リブ８２０の拡大図を示す。上部リブ８２０は、約１．２５インチ（３１．７５０１ｍｍ）の高さを有してもよい。
【００２８】
図９は、建物の金属デッキを製造及び設置するための例示的な工程図９００を示す。工程９０２は、建物の様々な構成要素を作るために用いられるロール成形機でマクロファイルを受信する。一実施形態では、そのようなマクロファイルは意匠図に基づいてマクロファイルを作成するソフトウェアアプリケーションから受信することができる。工程９０４では、鋼製ロールがロール成形機内に配置される。工程９０６では、ロール成形機がマクロファイルからの命令を解釈して金属デッキをロール成形する。工程９０８では、パイロット穴が金属デッキに穿孔される。工程９１０では、金属デッキが先に設置されたトラス上に配置される。金属デッキは、工程９１２でトラスに取り付けられる。工程９１４では、建物の次階の壁パネルが金属デッキ上に設置される。この工程は、建物の階数分繰り返すことになる。
【００２９】
図１０は、本明細書において開示される金属デッキの例示的な上面図１０００を示す。本明細書において開示される金属デッキは、デッキの上部に多数のリブを含むことができる。具体的には、これらのリブは金属デッキの長さに対してある角度をなしていてもよい。例示的な実施形態では、金属デッキのシートの長さは２フィート〜２０フィート（０．６０９６ｍ〜６．０９６１ｍ）であってよい。しかしながら、別の実施形態では、その他の長さも利用できる可能性がある。
【００３０】
図１１は、本明細書において開示される金属デッキの部分の例示的な上面図１１００を示す。具体的には、上面図１１００は、金属デッキ上に位置するリブの様々な例示的な配置を示す。例えば、これらのリブはデッキの長さに沿った軸に対して３５又は４０度の角度をなしていてもよい。別の配置は、２０〜６０度にわたる別の角度を有していてもよい。一実施形態では、上部リブの長さは３．２５〜５．００インチ（８２．５５０２〜１２７．０００３ｍｍ）であってよい。しかしながら、その他の長さも可能であってよい。
【００３１】
図１２は、本明細書において開示される例示的な金属デッキの代替図１２００を開示する。本明細書において示すように、例示的な実施形態では、折り畳まれたリブの縁部を金属デッキの表面から７５度の角度（１２０２）で切断して、そこにトラスを収容することができる。さらにまた、図示の実施形態では、折り畳まれたリブは約２フィート（０．６０９６ｍ）の間隔の開口を有してもよい。金属デッキは、約１．１２５インチ（２８．５７５１ｍｍ）の各端部に開放縁部を有してもよい。
【００３２】
図１３は、本明細書において開示される例示的な金属デッキのさらに別の代替図１３００を示す。部分１３０２及び１３０４の詳細は、図１４及び図１５において下記に詳述されている。
【００３３】
図１４は、本明細書において開示される例示的な金属デッキの側面図１４００を示す。本明細書において示すように、側面図１４００は約１．２５インチ（３１．７５０１ｍｍ）である折り畳まれたリブ１４０２の長さを示す。折り畳まれたリブ１４０２の厚さは、約０．１３インチ（３．３０２ｍｍ）であってよい。
【００３４】
図１５は、本明細書において開示される金属デッキの別の代替的な側面図１５００を示す。１５０２で示すように、金属デッキは、負荷をかけられると縁部で約８８度（〜９０度）曲がるため、金属デッキの縁部に柔軟性を与えることができる。上部リブは、折り畳まれたリブから約０．５７インチ（１４．４７８ｍｍ）離れて配置してもよい。
【００３５】
図１６は、本明細書において開示される別の例示的な金属デッキ１６００の別の図を示す。金属デッキ１６００は、例えば、１４〜１８ゲージ鋼のシートからロール成形機によって形成することができる。金属デッキ１６００は、実質的に金属デッキ１６００の長さに延在する多数のデッキ構成要素（例えば、デッキ構成要素１６０２）を含む。多数のデッキ構成要素は、金属デッキ１６００の幅に沿って形成される。デッキ構成要素は、隆起部分及びリブ状部分を含む。例えば、デッキ構成要素１６０２は、隆起部分１６０４（隆起部分１６０４とも呼ぶ）及びリブ状部分１６０６（リブ状部分１６０６とも呼ぶ）を含む。金属デッキ１６００がトラス構造（例えば、図２０のトラス構造２００４）上に設置される際、隆起部分１６０４は遮音性／消音性を提供するように金属デッキ１６００とトラス構造の間に間隔を設ける。例えば、金属デッキ１６００に到達する音波振動は隆起部分１６０４によって設けられた間隔（例えば、空気）によって消散する。図１６に図示するように、金属デッキ１６００は、金属デッキ１６００の大部分の面積を含む、金属デッキ１６００の長さに延在する多数の隆起部分を含む。したがって、金属デッキ１６００の大部分の表面積はトラス構造の上に隆起して音響制御／吸音を行う。
【００３６】
多数の突起が隆起部分１６０４の長さに沿って配置される。例えば、隆起部分１６０４は突起１６０８を含む。図示の実施形態では、突起１６０８は略円錐台形状であるが、その他の形状（例えば、台形プリズム）の突起１６０８も考えられることを理解されたい。突起は、穿孔又はエッチング装置又は機械を用いて形成することができる。図示の実施形態では、突起１６０８は開口を含むが、代替実施形態では、突起１６０８は開口を含んでいないことを理解されたい。突起１６０８は、把持又は牽引制御目的の波状表面を提供する。例えば、突起は金属デッキ１６００を横断する作業員に対して何らかの牽引力を与えることができる。同様に、突起は金属デッキ１６００上に注入されたコンクリートによって結合する表面積を提供する。
【００３７】
金属デッキ１６００のデッキ構成要素１６０２のリブ状部分１６０６は、把持目的のみならず剛性及び支持用の波状表面を提供する。換言すれば、リブ状部分は金属デッキ１６００の大幅なたわみを防止する。一実施形態では、リブ状部分１６０６は２つの隣接する隆起リブの両側に配設された２つのリブ樋からなる。２つの隆起リブは、金属デッキ１６００の長さに実質的に延在するリブ溝（例えば図１８のリブ溝１８１４）の両側に配置される。リブ溝はトラス構造を受け入れるための切り欠きを含んでいて、金属デッキが実質的にトラス構造に支えられることができるようになっている。さらにまた、リブ溝は金属デッキ１６００に対してより多くの安定性（剛性及びたわみ減少）を提供する。リブ状部分は、実質的に（又は全体的に）金属デッキ１６００の長さに延在する。
【００３８】
金属デッキ１６００は、金属デッキ１６００側に任意の切り欠き（例えば、切り欠き１６１０）をさらに含む。切り欠きは、金属デッキ１６００が建物の一部の構造支柱にぴったり合うことができるように含むことができる。様々な切り欠きの位置決めは、建物における構造支柱の配置によって決まる。一部の実施形態では、金属デッキ１６００は、そのような金属デッキが構造支柱の近くに配置されていないかもしれないので、構造支柱用の切り欠きを含んでいなくてもよい。金属デッキ１６００は、構造支柱を受け入れるための端部切り欠き１６１２を含む。端部切り欠き１６１２の配置及び寸法もまた、建物又は構造内の構造支柱のレイアウトによって決まる。図１６は、金属デッキの一部分のみを図示していることを理解されたい。
【００３９】
図１７は、本明細書において開示される例示的な金属デッキ１７００の上面図を示す。金属デッキ１７００は、部分的にのみ図示されている。金属デッキ１７００は、隆起部分及びリブ状部分を含む多数のデッキ構成要素（例えば、デッキ構成要素１７０２）を含む。リブ状部分は強度、剛性を提供し、金属デッキ１７００の大幅なたわみを防止する。隆起部分は、金属デッキがその上に位置する任意のトラス構造（図示せず）の上に隆起している。隆起部分は、音響制御／吸音を提供するためにトラス構造内で金属デッキ１７００との間に間隔を設ける。リブ状部分と隆起部分上の突起（例えば、突起１７０４）は、金属デッキ１７００の牽引制御を提供する。
【００４０】
金属デッキ１７００は、金属デッキ１７００の個々の縁部の周囲に位置する個々の切り欠き１７０６，１７０８，１７１０及び１７１２を含む。切り欠き１７０６，１７０８及び１７１０は、建物又は構造の様々な構造支柱／円柱を受け入れて取り囲むためのものである。切り欠き１７０６，１７０８，１７１０等の位置、寸法及び形状は、建物又は構造の構造支柱／円柱の配置によって決まる。金属デッキは、図１７に図示するよりも多い又は少ない数の切り欠きを含んでもよいことを理解されたい。一部の実施形態では、金属デッキは全く切り欠きを含んでいない。
【００４１】
図１８は、本明細書において開示される例示的な金属デッキ１８００の側断面図を示す。具体的には、図１８は金属デッキ１８００に含まれる様々な部分の外形を図示する。例えば、デッキ構成要素１８０２は隆起部分１８０４及びリブ状部分１８０６を含む。金属デッキ１８００がトラス構造（例えば、図２０のトラス構造）上に設置される際、隆起部分１８０４はトラス構造に接触せず、金属デッキ１８００とトラス構造の間の間隔を設ける。そのような間隔は音響制御／吸音を提供して、金属デッキ１８００を通して伝わる音波が隆起部分によって設けられた間隔内の空気によって消散するようになっている。隆起部分１８０４は、金属デッキ１８００上に牽引制御を提供する突起（例えば、突起１８０８）をさらに含む。
【００４２】
リブ状部分（例えば、リブ状部分１８０６）は、支持、剛性を提供し、金属デッキ１８００の大幅なたわみを防止する。リブ状部分１８０６は、２つの隣接する隆起リブ（例えば、隆起リブ１８１２）の両側に配設された２つのリブ樋（例えば、リブ樋１８１０）を含む。リブ溝（例えば、リブ溝１８１４）は、リブ状部分１８０６の２つの隣接する隆起リブ間に形成される。リブ溝１８１４は、金属デッキ１６００の底面から金属デッキ１８００から離れて延在する。２つの隣接する隆起リブは、金属デッキ１８００の下に下方に延在するリブ溝を中間に有する。リブ樋１８１０の基部の部分は、トラス構造に支えられることができる。リブ樋１８１０は、隆起リブ１８１２と共に、金属デッキ１８００の隆起部分の支持を提供する。リブ溝１８１４、リブ樋１８１０及び隆起リブ１８１２は、実質的に金属デッキ１６００の長さ（例えば、ｚ軸に略平行な方向）に延在する。リブ溝１８１４は、金属デッキの底面から下方（例えば、図示するようにｘ軸に略平行かつｘ軸の反対側の方向）に延在する。各々の外形部分（例えば、デッキ構成要素）は金属デッキ材の幅に沿って（例えば、ｙ軸に平行な軸に沿って）構成され、実質的に金属デッキの長さに（例えば、ｚ軸に平行な軸に沿って）延在する。
【００４３】
図１８に示すように、金属デッキ１８００の縁部は様々な外形を有するように形成することができる。そのような構成により、端部部分が重なり合う構成になるように複数の金属デッキを互いに隣接して配置することができる。例えば、金属デッキ１８００は狭い樋リブ１８１８及び隆起フランジ１８２０を備えた第１縁部１８１６を含む。金属デッキ１８００は、リブ樋１８２４、隆起リブ１８２６、リブ溝１８２８及びフランジ１８３０（例えば、平坦フランジ）を含む第２縁部１８２２をさらに含む。（別の金属デッキの）第１縁部１８１６が第２縁部１８２２に隣接して配置されていた場合、フランジ１８３０は第１縁部１８１６の隆起フランジ１８２０の下に延在することになる。図示の構成は支持を提供し、様々な金属デッキを互いに隣接して固定的に配置することを可能にする。一部の実施形態では、金属デッキ材１８００は鳩尾状であるリブ状溝、例えば図７及び図８に示すリブ状溝７０２，８０２を含む。
【００４４】
図１９は、トラス構造１９０４上に位置する本明細書において開示される例示的な金属デッキ１９０２の側断面図１９００を示す。トラス構造１９０４は、その上に金属デッキ１９０２が位置する上弦材１９０６を含む。上弦材１９０６は、金属デッキ１９０２の複数のリブ溝（例えば、リブ溝１９０８）の各々に位置する切り欠き開口（例えば、図２０の開口２００８）内に配置される。金属デッキ１９０２は、隆起部分（例えば、隆起部分１９１０）を含む複数のデッキ構成要素を含む。隆起部分１９１０は、金属デッキ１９０２とトラス弦材１９０６の間の遮音性を提供する。隆起部分１９１０は、隣接するリブ樋によって支持される。例えば、隆起部分１９１０は隣接するリブ樋１９１２及び１９１４によって支持される。リブ樋１９１２及び１９１４の基部は、トラス弦材１９０６の上面と接触する。したがって、隆起部分１９１０に付加されるあらゆる力がリブ樋１９１２及び１９１４を介してトラスに伝達される。
【００４５】
トラス構造１９０４のトラスはｙ軸に平行な軸に位置し、金属デッキ１９０２はｚ軸に平行な軸に位置する長さを含む。リブ溝１９０８は実質的に金属デッキの長さ（例えば、トラスを受け入れるための切り欠き開口以外）に延在するため、ｚ軸に平行である。リブ溝１９０８及びトラスは、互いに略垂直に配置される。
【００４６】
図２０は、トラス構造２００４上に位置する本明細書において開示される例示的な金属デッキ２００２の別の図２０００を示す。トラス構造２００４は部分的に図示されており、トラス２０１０等の多数のトラスを含む。金属デッキ２００２は、様々なトラス２０１０の上弦を受け入れるための多数の切り欠き開口（例えば、切り欠き開口２００８）を含む複数のリブ溝（例えば、リブ溝２００６）を含む。切り欠き開口は、金属デッキ２００２がトラス構造に対して実質的に移動又は摺動しないように、デッキ２０１０をトラス構造２００４上に固定的に配置することを可能にする。さらにまた、図１８に関して上述したように、複数の金属デッキが重なり合う構成で配置されるとすると、トラス２０１０と金属デッキ２００２の重なり合う構成とによって複数の金属デッキは移動／摺動するのをさらに防止される。
【００４７】
図２１は、本明細書において開示される例示的な金属デッキ２１００の図を示す。金属デッキ２１００は、金属デッキの下に延在する複数のリブ溝（例えば、リブ溝２１０６）を含む。リブ溝２１０６は、建物のトラス（又は壁パネルの上弦材）を受け入れるための切り欠き開口（例えば、開口２１０２）を含む。リブ溝２１０６は、金属デッキ又は壁構造の一部分を受け入れるための端部開口（例えば、端部開口２１０４）をさらに含む。端部開口２１０４は、２つの金属デッキを端から端まで配置することを可能にし、隣接する端部は共にトラス又は壁構造上に配置されるようになっている。
【００４８】
金属デッキ２２００を製造するために、ロール成形機は金属デッキの寸法を定義するマクロファイルを解釈して金属デッキ２２００を作る（例えば、図９の工程９０６）。連続した金属シートは、折り曲げたり／巻いたり／折り畳んだりして金属デッキ２１００の形状にすることができる。成形機は、例えばローラー、フォルダー、エッチング装置、プレス機等の様々な成形要素を用いてリブ溝２１０４、隆起リブ（例えば、図１８の隆起リブ１８１２）、リブ樋（例えば、図１８のリブ樋１８１０）、隆起部分（例えば、図１８の隆起部分１８０４）及び突起（例えば、図１８の突起１８０８）を形成することができる。リブ状溝の切り欠き開口（例えば、開口２１０２及び２１０４）は、溝の形成中又は後に形成（例えば、エッチング又は切断）することができる。さらにまた、金属デッキ２１００の縁部の周囲の（例えば、構造支柱／円柱を受け入れるための）様々な切り欠きは、金属デッキが実質的に形成された後に形成してもよい。
【００４９】
図２２は、本明細書において開示される例示的な金属デッキ２２００の側面図を示す。金属デッキ２２００は、トラス又は壁構造を受け入れるための多数の開口（例えば、開口２２０４）を備えた複数のリブ溝（例えば、リブ溝２２０６）を含む。金属デッキは、上面（例えば、隆起部分上）に沿って位置する複数の突起（例えば、突起２２０２）をさらに含む。突起２２０２は、金属デッキ材の牽引制御を提供する。
【００５０】
上記の明細書、例、及びデータは、本発明の例示的実施形態の構造及び使用の詳細な説明を提供するものである。本発明の多くの実施形態は、本発明の趣旨及び範囲から逸脱することなく実施可能であるので、本発明は以下に添付された請求項の範囲内にある。さらにまた、異なる実施形態の構造的特徴も、列挙された請求項の範囲から逸脱することなくさらに別の実施形態に組み込むことができる。好適な実施形態を参照して本発明を説明したが、本発明の範囲を逸脱することなく形式及び細部において変更が可能であることを当業者は理解されよう。上述した実施形態及び他の実施形態は、以下の請求項の範囲内である。
【図１】
2021509700.tif 000003
【図２Ａ】
2021509700.tif 000004
【図２Ｂ】
2021509700.tif 000005
【図３】
2021509700.tif 000006
【図４】
2021509700.tif 000007
【図５】
2021509700.tif 000008
【図６】
2021509700.tif 000009
【図７】
2021509700.tif 000010
【図８Ａ】
2021509700.tif 000011
【図８Ｂ】
2021509700.tif 000012
【図８Ｃ】
2021509700.tif 000013
【図９】
2021509700.tif 000014
【図１０】
2021509700.tif 000015
【図１１】
2021509700.tif 000016
【図１２】
2021509700.tif 000017
【図１３】
2021509700.tif 000018
【図１４】
2021509700.tif 000019
【図１５】
2021509700.tif 000020
【図１６】
2021509700.tif 000021
【図１７】
2021509700.tif 000022
【図１８】
2021509700.tif 000023
【図１９】
2021509700.tif 000024
【図２０】
2021509700.tif 000025
【図２１】
2021509700.tif 000026
【図２２】
2021509700.tif 000027
【国際調査報告】
2021509700.tif 000028